(57)【要約】【課題】本発明は、着脱可能な浴室カウンターを壁面から取り外した場合に、接触傷の発生を抑制できる浴室カウンターを提供する。【解決手段】本浴室カウンター（２）は、物品を載置可能な載置面（４１）を備え、浴室の壁面に対して着脱可能に構成された浴室カウンター（２）であって、前記浴室カウンターの外周縁部（２３）に設けられ、浴室カウンターの厚さ方向に厚みを有する支持部（２６）と、前記支持部に設けられ、前記支持部の前記浴室の床面（Ｆ）との接触面積が前記支持部の面積よりも小さくなるように構成された当接部（５０）と、を備え、前記浴室カウンターは、前記壁面から取り外した状態で前記支持部と前記当接部とが前記浴室の床上に接触して自立可能に構成されていることを特徴とする。【選択図】図７
2020032109.tif 000002
【特許請求の範囲】
【請求項１】
物品を載置可能な載置面を備え、浴室の壁面に対して着脱可能に構成された浴室カウンターであって、
前記浴室カウンターの外周縁部に設けられ、前記浴室カウンターの厚さ方向に厚みを有する支持部と、
前記支持部に設けられ、前記支持部の前記浴室の床面との接触面積が前記支持部の面積よりも小さくなるように構成された当接部と、
を備え、
前記浴室カウンターは、前記壁面から取り外した状態で前記支持部と前記当接部とが前記浴室の床上に接触して自立可能に構成されていることを特徴とする浴室カウンター。
【請求項２】
前記浴室カウンターを前記壁面に対して取り付けるための被係合部を備え、
前記支持部は、前記被係合部側の前記外周縁部に設けられている
請求項１に記載の浴室カウンター。
【請求項３】
前記当接部は、前記支持部から外方に向かって突出する突起で構成されている
請求項１または請求項２に記載の浴室カウンター。
【請求項４】
前記当接部は、前記支持部の表面に形成されたシボ加工面により構成されている
請求項１または請求項２に記載の浴室カウンター。
【請求項５】
前記当接部は、前記支持部の表面に線状に突出する線接触面により構成されている
請求項１または請求項２に記載の浴室カウンター。
【発明の詳細な説明】
【技術分野】
【０００１】
本発明は、浴室の壁面に着脱可能に取り付けられる浴室カウンターに関する。
【背景技術】
【０００２】
従来、浴室内の壁面には、石鹸、洗面器等、浴室で使用する物品を載置するカウンターが取り付けられている。例えば、シャワーや蛇口等の吐水装置の下方にカウンターが設けられ、カウンター上に石鹸、シャンプー、洗面器等を載置して使用する場合がある。
【０００３】
このような浴室カウンターとして、浴室カウンター及びその周辺の清掃を行いやすくするためにカウンターを浴室の壁面から容易に着脱可能とするカウンターが提案されている（例えば、特許文献１）。特許文献１のカウンターは、壁面への着脱が容易でありかつ軽量であるため、容易に清掃が行える。
【先行技術文献】
【特許文献】
【０００４】
【特許文献１】特開２０１８-５１１１９号公報
【発明の概要】
【発明が解決しようとする課題】
【０００５】
従来、浴室カウンターの下方の床面や壁面を清掃する際、壁面から取り外した浴室カウンターの置き場所について考慮されていなかった。そのため、清掃者は、取り外した浴室カウンターを持ちながら清掃する必要があり、作業性の改善が望まれていた。また、浴室カウンターを壁部から外した場合、浴室カウンターを浴室の床等に置く、あるいは床に載置して壁部に立て掛けることが想定される。しかし、浴室カウンターは縁部が曲線形状を有する場合が多く、安定的に置いておくことが難しい。また、床に置くあるいは立て掛ける際、浴室カウンターと床や壁部との接触により、浴室カウンター、床、壁部に傷ができる場合があり改善が求められていた。
【０００６】
上記事情を踏まえ、本発明は、着脱可能な浴室カウンターを壁面から取り外した場合に、接触傷の発生を抑制できる浴室カウンターを提供することを目的とする。
【課題を解決するための手段】
【０００７】
本発明に係る浴室カウンターは、物品を載置可能な載置面を備え、浴室の壁面に対して着脱可能に構成された浴室カウンターであって、前記浴室カウンターの外周縁部に設けられ、前記浴室カウンターの厚さ方向に厚みを有する支持部と、前記支持部に設けられ、前記支持部の前記浴室の床面との接触面積が前記支持部の面積よりも小さくなるように構成された当接部と、を備え、前記浴室カウンターは、前記壁面から取り外した状態で前記支持部と前記当接部とが前記浴室の床上に接触して自立可能に構成されていることを特徴とする。
【０００８】
この発明によれば、着脱可能に構成された浴室カウンターを壁面から取り外した際に、支持部と前記当接部とが前記浴室の床上に接触して浴室カウンターが浴室の床上に支持されて自立可能となる。したがって、浴室カウンターの外周縁部側が浴室の床上に位置した状態で浴室の床上に自立状態で保持できる。さらに、支持部の浴室の床面との接触面積が支持部の面積よりも小さくなる当接部を支持部に備えるため、支持部と浴室の床面との接触面積を低減できる。したがって、浴室カウンターを自立状態で保持する際、支持部や浴室の床面への接触に伴う傷の発生を抑制できる。この結果、着脱可能な浴室カウンターを壁面から取り外した場合に、接触傷の発生を抑制できる。
【０００９】
本発明に係る浴室カウンターは、前記浴室カウンターを前記壁面に対して取り付けるための被係合部を備え、前記支持部は、前記被係合部側の前記外周縁部に設けられていてもよい。
【００１０】
この発明によれば、浴室カウンターを自立可能とする支持部が被係合部側に設けられるため、浴室カウンターの使用状態では、支持部は浴室の壁部側に位置し、支持部が外観上目立たない。また、浴室カウンターが自立状態で保持された際に被係合部が床側に位置するため、自立状態において被係合部が外観上目立たない。したがって、浴室カウンターを自立状態で見栄えよく保持できる。また、被係合部側の外周縁部に支持部が設けられるため、使用状態時も、当接部により被係合部が壁部側の係合部と接触する接触面積を低減でき、被係合部または係合部に接触傷が生じることを防止できる。
【００１１】
本発明に係る浴室カウンターでは、前記当接部は、前記支持部から外方に向かって突出する突起で構成されていてもよい。
【００１２】
この発明によれば、当接部は、支持部から外方に向かって突出する突起により構成されるため、浴室の床面と支持部との接触面積を低減できる。この結果、浴室カウンターを自立状態で保持する際、支持部や浴室の床面への接触に伴う傷の発生を抑制できる。
【００１３】
本発明に係る浴室カウンターでは、前記当接部は、前記支持部の表面に形成されたシボ加工面により構成されていてもよい。
【００１４】
この発明によれば、当接部が支持部の表面に形成されたシボ加工面により構成されているため、浴室の床面と支持部との接触面積を低減できる。この結果、浴室カウンターを自立状態で保持する際、支持部や浴室の床面への接触に伴う傷の発生を抑制できる。
【００１５】
本発明に係る浴室カウンターでは、前記当接部は、前記支持部の表面に線状に突出する線接触面により構成されていてもよい。
【００１６】
この発明によれば、当接部が、支持部の表面に線状に突出する線接触面により構成されているため、浴室の床面と支持部とが線接触可能であり、接触面積を低減できる。この結果、浴室カウンターを自立状態で保持する際、支持部や浴室の床面への接触に伴う傷の発生を抑制できる。
【発明の効果】
【００１７】
本発明は、浴室カウンター、床、壁部への接触傷が生じることなく床面等に自立可能な浴室カウンターを提供できる。
【図面の簡単な説明】
【００１８】
【図１】本発明の一実施形態に係る浴室カウンターを備える浴室ユニットの浴室カウンターの使用状態を示す斜視図である。
【図２】本発明の一実施形態に係る浴室カウンターを浴室ユニットの壁部に取り付ける態様を模式的に示す斜視図である。
【図３】本発明の一実施形態に係る浴室カウンターをブラケットに取り付ける態様を示す斜視図である。
【図４】本発明の一実施形態に係る浴室カウンターの裏面側の平面図である。
【図５】本発明の一実施形態に係る浴室カウンターの斜視図である。
【図６】本発明の一実施形態に係る浴室カウンターの被係合部側の側面図である。
【図７】本発明の一実施形態に係る浴室カウンターの自立状態を示す側面図である。
【図８】本発明の一実施形態に係る浴室カウンターの自立状態を示す側面図である。
【図９】本発明の一実施形態の第一変形例の浴室カウンターの自立状態を示す側面図である。
【図１０】本発明の一実施形態の第二変形例の浴室カウンターの自立状態を示す側面図である。
【図１１】本発明の一実施形態の第三変形例の浴室カウンターの自立状態を示す側面図である。
【発明を実施するための形態】
【００１９】
以下、本発明の一実施形態に係る浴室カウンターについて説明する。図１は、実施形態に係る浴室カウンターを備える浴室ユニットの浴室カウンターの使用状態を示す斜視図である。図２は浴室カウンター２を浴室ユニットの壁部に取り付ける態様を模式的に示す斜視図である。本実施形態に係る浴室カウンター２は、浴室空間ＢＲの第一壁部１０３に対して着脱可能に構成されている。以下では、浴室ユニット１００の第一壁部１０３に着脱可能な浴室カウンター２を例に説明する。なお、浴室カウンター２は浴室ユニット１００に限らず、在来工法により施工された浴室においても使用可能である。
【００２０】
浴室ユニット１００は、建物の躯体内にフレームとパネルとを用いて、床、壁、天井及び浴槽等を組み立てて設置される。浴室ユニット１００内に形成される浴室空間ＢＲ（浴室）には外枠形状が平面視で略長方形の浴槽１０１と、平面視略矩形であり、浴槽１０１と壁との間の床部を構成する洗い場（床面）１０２と、が設けられている。浴槽１０１の洗い場１０２との境界部分となる端部には、浴槽１０１の側面を覆うエプロン１０５が設けられ、洗い場１０２と浴槽１０１とは、エプロン１０５を介して接続されている。浴室空間ＢＲは、四方に立設された複数の壁部により形成されている。
【００２１】
本実施形態では、浴室ユニット１００の複数の壁部のうち、シャワー器具１０９、水栓１１０、シャワーホルダ１０７が設けられた壁を第一壁部１０３と称する。
【００２２】
以下の説明において、第一壁部１０３の壁面に沿った水平方向を幅方向、幅方向に直交する水平方向を奥行方向とする。奥行方向のうち第一壁部１０３に近接する方向を奥行方向の奥側とし、第一壁部１０３と離間する方向を奥行方向の手前側とする。第一壁部１０３の幅方向のうち、使用者が第一壁部１０３に向かって立つ場合の左右をそれぞれ右側、左側と称する。本実施形態では、幅方向の左側に浴槽１０１が配置され、右側に洗い場１０２が配置されている。
【００２３】
本実施形態に係る浴室カウンター２（以下、「カウンター」と記載する。）は、カウンター２をブラケット３から取り外した際に、床上に自立状態で保持可能に構成されている。ここでいう自立状態とは、浴室カウンターが床上で自立する態様の他、ブラケット等の保持手段を用いることなく浴室カウンターを床上に載置して壁部に立て掛けた状態に保持する態様を含む。
【００２４】
図１及び図２に示すように、カウンター２は、第一壁部１０３に取り付けられた後述するブラケット３に対して着脱可能に構成されている。本実施形態では、第一壁部１０３の水栓１１０の下方、かつ、洗い場１０２の床面から上方に離間した位置に、カウンター２が取り付けられる。図１に示すように、天板４１を上方に向けて配置してブラケット３に支持された状態をカウンター２の使用状態と称する。使用状態では、天板４１は上方（天井側）を向いて第一壁部１０３からに略水平方向に突出して配置される。
【００２５】
図３は、使用状態におけるカウンター２をブラケット３へ取り付ける態様を示す斜視図である。ブラケット３は、第一壁部１０３に取り付けられている。ブラケット３は、不図示の金属部材により第一壁部１０３に固定され、樹脂部材により金属部材が覆われている。図３に示すように、ブラケット３は、ベース体３１と、アーム部３２とを備える。ベース体３１は、幅方向に長尺な部材であり、裏面３１１が第一壁部１０３に固定されている。表面部３１２は、上部が上下方向に延びる平面形状であり、下部は下端側に向かって次第に奥行方向の厚みが薄くなるようにわずかに傾斜する傾斜面が形成されている。ベース体３１の表面部３１２の幅方向両端部は、ベース体３１より幅方向外側に僅かに突出する突出縁３１５，３１５を有する。
【００２６】
アーム部３２は、平面視略Ｕ字形状を有し、表面部３１２から手前側に向かって略水平方向に突出して設けられている。アーム部３２は、幅方向に離間する２つの基部３２１，３２１がベース体３１の表面部３１２から手前側に突出し、各基部３２１，３２１の手前側の端部間にバー３２２が架設されている。バー３２２は、表面部３１２と略平行に延設されている。基部３２１，３２１の幅方向外側の各端部には、幅方向に突出する突起３４が形成されている。
【００２７】
アーム部３２と、ベース体３１の表面部３１２との間には、係合孔３３が形成されている。係合孔３３は上下方向に貫通している。
【００２８】
係合孔３３の上方のベース体３１の表面部３１２には、ベース体３１の上面３１３よりも上方に突出する突出壁３１４が形成されている。突出壁３１４は、ベース体３１の手前側に表面部３１２に沿って上方に延出するように突出している。突出壁３１４の左右上端部は幅方向外側に向かって下側に傾斜している。
【００２９】
図４は、本実施形態に係るカウンター２の裏面側の平面図である。図５は、本実施形態に係るカウンター２の斜視図である。図６は、本実施形態に係るカウンター２の被係合部５２側の側面図である。カウンター２の構成について、図１に示す使用状態の配置に基づき説明する。カウンター２は、物品を載置可能な天板（載置面）４１を備える平板状の部材である。カウンター２は、使用状態において上側に配置される天板部材４と、下側に配置される底板部材５と、を有し、天板部材４と底板部材５とが接合されて構成されている。天板部材４および底板部材５は、それぞれ樹脂材料により形成されている。天板部材４と底板部材５とが接合されると、天板部材４と底板部材５との間に形成されるカウンター２の内部空間への浸水が防止されるように構成されている。
【００３０】
図４に示すように、カウンター２は、厚さ方向から見た平面視における形状が略長方形であり、４つの角部は円弧形状を有する。天板部材４と底板部材５とは外周縁部同士が接合されている。
【００３１】
カウンター２は、２つの長辺端部２１，２２のうちの一方の長辺端部側でブラケット３に係合され、第一壁部１０３から手前側に向かって突出している。２つの長辺端部のうち、使用状態において手前側に位置する長辺端部を第一長辺端部２１と称し、被係合部５２が設けられている側の長辺端部を第二長辺端部２２と称する。
【００３２】
カウンター２の外周縁部には、厚さ方向（上下方向）に厚みを有する外周側壁２３（支持部）が形成されている。外周側壁２３は、略平面状の壁部である。外周側壁２３のうち、第一長辺端部２１側の部分は直線状に延びて形成された平坦部２３１を有する。
【００３３】
カウンター２には、厚さ方向に貫通する排水口２４が形成されている。排水口２４は、第一長辺端部２１の近傍であって、第一長辺端部２１よりも奥側に形成され、第一長辺端部２１と略平行に延びる長孔である。排水口２４の幅方向の両端部は、円弧形状を有する。
【００３４】
図１、図２及び図６に示すように、天板部材４の天板４１は上面（載置面）が扁平に形成されている。天板４１は、カウンター２の外周縁部から排水口２４に向かって僅かに下降傾斜している。天板４１は、排水口２４の縁部の高さが最も低く、カウンター２の外周縁部から排水口２４に向かって緩やかに下降傾斜して形成されている。ただし、天板４１の傾斜角度は、天板４１上の水が排水口２４に向かって流れ、物品を載置した際に、物品が自重で傾斜に沿って移動しない程度の僅かな傾斜である。
【００３５】
図３から図６に示すように、底板５１の第二長辺端部２２側の領域に被係合部５２を備える。被係合部５２は、第二長辺端部２２の幅方向略中央部、かつ第二長辺端部２２側の外周側壁２３より下方に形成されている。底板５１の被係合部５２は、内側凹部５５と、外側凹部５６と、突条部５３と、挿入穴５４とを備える。
【００３６】
内側凹部５５は、底板５１の幅方向略中央部に略矩形に形成された凹部である。内側凹部５５の左右の側壁５５１，５５１間の距離は、ブラケット３のアーム部３２の幅方向の寸法よりも僅かに大きい。図４及び図５に示すように、各側壁５５１，５５１には、係止凸部５７，５７が設けられている。係止凸部５７，５７は、それぞれ幅方向の中央側に向かって突出し、かつ奥行方向に延びる長尺な突起である。
【００３７】
内側凹部５５の第二長辺端部２２側の端部に、突条部５３が形成されている。突条部５３は、略直方体形状であり、内側凹部５５の底部５５３から下方に突出して形成されている。突条部５３は、ブラケット３の係合孔３３の平面視内周形状と相似する形状を有する。
【００３８】
外側凹部５６は、内側凹部５５と第二長辺端部２２との間に形成された凹部である。外側凹部５６は、内側凹部５５と連続して形成され、幅方向に長尺な略矩形の凹部である。外側凹部５６は、内側凹部５５よりも幅方向の開口寸法が長い。外側凹部５６の幅方向の寸法は、ブラケット３のベース体３１の表面部３１２の幅方向の寸法よりも僅かに長い。
【００３９】
挿入穴５４は、外側凹部５６の底部５６１の幅方向中央部に、上方に向かって窪んで形成されている。挿入穴５４は、突条部５３と隣接する位置に形成されている。挿入穴５４は、ブラケット３の突出壁３１４の形状と相似する形状を有する。
【００４０】
外側凹部５６の幅方向の左右の側壁５６２，５６２には、幅方向外側に窪むスリット５６３，５６３がそれぞれ形成されている。
【００４１】
図４及び図５に示すように、被係合部５２は、外周側壁２３よりも奥行方向の内側（第一長辺端部２１側）に配置されている。
【００４２】
底板５１は、幅方向（長辺方向）の中央部において、第一長辺端部２１から第二長辺端部２２に向かって下方に傾斜した傾斜面を備えている（図７参照）。したがって、カウンター２の厚さは、第二長辺端部２２側に向かって次第に厚くなり、第一長辺端部２１側の厚さＴ２１より第二長辺端部２２側の端部の厚さＴ２２の方が厚い。底板部材５の第二長辺端部２２側の端部は、底板５１の下端部と外周側壁２３との間に上下方向に延びる第二側壁５８を備える。第二側壁５８，５８は、被係合部５２の幅方向両側に形成されている。第二長辺端部２２側に位置する外周側壁２３と、第二側壁５８，５８とにより、カウンター２の支持部２６が構成されている。
【００４３】
図７に示すように、カウンター２は、第二長辺端部２２側の端部の厚さＴ２２と第一長辺端部２１側の厚さＴ２１との差が小さい薄型のカウンターである。カウンター２の第二長辺端部２２側の端部の厚さＴ２２と第一長辺端部２１側の厚さＴ２１との比は、例えば、１：０．３〜１：０．６であってもよい。このように、カウンター２が薄型であると、天板４１が水平方向に向けられて床面Ｆ上に支持されたときに浴室の使用者や清掃者の動線を妨げ難い。
【００４４】
各第二側壁５８、５８は、当接部５０、５０を備える。当接部５０は、第二側壁５８から奥行方向の奥側（カウンター２の外方）に突出する突起で構成されている。図４から図６に示すように、当接部５０は、略半円柱形状の突起であり、カウンター２の幅方向に延び、円弧部分が奥行き方向に突出して形成されている（図７参照）。
【００４５】
次に、図３を参照して、カウンター２とブラケット３との係合構造について説明する。図３に示すように、カウンター２の天板４１を上方に向けて、底板５１の被係合部５２をブラケット３に上方から近付け、突条部５３を係合孔３３に挿入し、挿入穴５４に突出壁３１４を挿入する。
【００４６】
突条部５３はアーム部３２の係合孔３３の平面視形状と相似し、内側凹部５５の側壁５５１，５５１間の距離はブラケット３のアーム部３２の幅方向の寸法よりも僅かに大きいため、図３に示すように、アーム部３２と被係合部５２とが係合する。また、内側凹部５５の手前側壁部５５２と突条部５３とにより、アーム部３２のバー３２２が挟持される。さらに、突条部５３の奥側壁５３１がブラケット３の表面部３１２に当接する。この結果、カウンター２の上方からの力に対して十分な耐荷重を備えて、カウンター２を使用状態で支持できる。
【００４７】
アーム部３２と被係合部５２との係合時、内側凹部５５の各側壁５５１，５５１に設けられた係止凸部５７，５７がアーム部３２の基部３２１，３２１の突起３４,３４を乗り越え、係止凸部５７，５７が突起３４,３４に係止される。さらに、外側凹部５６のスリット５６３，５６３にベース体３１の表面部３１２の突出縁３１５，３１５が挿入される。
【００４８】
使用状態におけるカウンター２の支持構造が上述の構成を備える結果、カウンター２はブラケット３の上方から近付けて、被係合部５２とアーム部３２とを係合させる簡易な構成で、カウンター２をブラケット３に着脱可能に係合させることができる。つまり、ネジ等の固定部材を用いることなく、カウンター２をブラケット３に係合できる。また、カウンター２の使用中に上方向へ不慮の力が加わった場合でも、カウンター２がブラケット３から外れ難い。
【００４９】
次に、カウンター２をブラケット３から取り外した際のカウンター２の保持態様について説明する。図７は、カウンター２の自立状態を示す側面図である。ブラケット３から取り外したカウンター２は、外周縁部が床面Ｆに接触した状態で、浴室の床面Ｆ上に支持されて自立可能に構成されている。なお、本実施形態では浴室の床面Ｆにカウンター２を自立させる例を示すが、カウンター２を自立させる場所は特に限定されない。
【００５０】
カウンター２は、使用状態では天板４１が上方に向き、載置面が略水平に延設された状態で第一壁部１０３に支持されている。しかし、カウンター２を取り外して使用しない場合に、天板４１が上方に向いた状態で床面Ｆに載置すると広い収納面積が必要となる。そこで、浴室カウンターを浴室の壁面に立て掛ける方法が考えられる。しかし、一般に浴室カウンターは外面に曲線形状を有する場合が多く、浴室カウンターを浴室の壁面に立て掛けた状態で安定保持することが難しく、浴室内にストッパーが必要となる。これに対し、本実施形態のカウンター２は、天板４１が水平方向に向いた状態で床面Ｆ上に自立可能に構成されている。
【００５１】
なお、天板４１が水平方向に向いた状態とは、例えば、天板４１が上下方向に沿って配置された状態、上下方向に対して僅かに傾斜して配置された状態、天板４１が、浴室内に立設されている第一壁部１０３等の壁面やエプロン１０５、浴室の壁部同士のコーナー等に対向配置された状態を含む。
【００５２】
図７に示すように、本実施形態では、第一長辺端部２１側の外周側壁２３及び第二側壁５８が床面Ｆに対向するように配置され、外周側壁２３と当接部５０，５０とが床面Ｆに接触してカウンター２が床面Ｆ上に支持される。このとき、天板４１は床面Ｆに対してやや傾斜した状態でバランスが保たれて保持される。自立状態では、第二側壁５８は床面Ｆから僅かに離間し、外周側壁２３の平坦部２３１が床面Ｆに対してやや傾斜し、カウンター２の天板４１側の端部が床面Ｆから僅かに離間する。したがって、自立状態では、支持部２６が床面Ｆと対向する面積よりも、支持部２６と床面Ｆとの接触面積が小さくなる。この結果、自立状態のカウンター２は、床面Ｆとの接触面積を抑えながら床面Ｆ上に保持され、カウンター２あるいは床面Ｆへの接触傷の発生を抑制できる。
【００５３】
図８は、本実施形態に係るカウンター２を、床面Ｆ上に載置しながら、第一壁部１０３等の壁面Ｗにも立て掛ける例を示す側面図である。底板５１の第二長辺端部２２側の端部領域５９（図３参照）に、図４から図６に示すように、下方に突出する凸部５０１，５０１を更に設けてもよい。図８に示すように、カウンター２を壁面Ｗに立て掛ける場合、凸部５０１，５０１が壁面Ｗに接触し、底板５１は壁面Ｗから離間した状態で支持される。このように、自立状態時に凸部５０１，５０１を壁面Ｗに接触させることにより、底板５１と壁面Ｗとの接触面積を低減できる。この結果、壁面Ｗと底板５１との接触による傷の発生を抑制できる。
【００５４】
本実施形態に係るカウンター２によれば、浴室の第一壁部１０３に対して着脱可能に構成されたカウンター２を第一壁部１０３から取り外した際に、支持部２６と当接部５０，５０とが浴室の床面Ｆ上に接触して、カウンター２が浴室の床面Ｆ上に支持されて自立可能となる。したがって、カウンター２の外周側壁側が浴室の床面Ｆ上に位置した状態で浴室の床面Ｆ上に自立状態で保持できる。さらに、支持部２６の浴室の床面Ｆとの接触面積が、支持部２６が床面Ｆと対向する面積よりも小さくなる当接部５０，５０を支持部２６に備える。このため、支持部２６と浴室の床面Ｆとの接触面積を低減できる。したがって、カウンター２を自立状態で保持する際、支持部２６や浴室の床面Ｆへの接触に伴う接触傷の発生を抑制できる。この結果、着脱可能なカウンター２を壁面Ｗから取り外した場合に、接触傷の発生を抑制できる。
【００５５】
本実施形態に係るカウンター２によれば、カウンター２を自立可能とする支持部２６が被係合部５２側に設けられるため、カウンター２の使用状態では、支持部２６は浴室の壁面Ｗ側に位置し、支持部２６が外観上目立たない。また、カウンター２が自立状態で保持された際に被係合部５２が床面Ｆ側に位置するため、自立状態において被係合部５２が外観上目立たない。したがって、カウンター２を自立状態で見栄えよく保持できる。また、被係合部５２側の外周側壁２３（平坦部２３１）に支持部２６が設けられるため、使用状態時も、当接部５０，５０により被係合部５２が壁面Ｗ側のブラケット３（係合部）と接触する接触面積を低減でき、被係合部５２またはブラケット３に接触傷が生じることを防止できる。
【００５６】
本実施形態に係るカウンター２によれば、支持部２６から外方に向かって突出する突起により当接部５０，５０が構成されるため、浴室の床面Ｆと支持部２６との接触面積を低減できる。この結果、カウンター２を自立状態で保持する際、支持部２６や浴室の床面Ｆへの接触に伴う傷の発生を抑制できる。
【００５７】
本発明に係る浴室カウンターは上記実施形態の構成に限定されない。図９に、第一変形例のカウンター２Ａの側面図を示す。なお、以下の説明において、上記実施形態と同様の構成には実施形態と同一の符号を付し、重複する説明を省略する。第一変形例のカウンター２Ａは、支持部及び当接部の構成が上記実施形態と異なる例である。
【００５８】
第一変形例のカウンター２Ａは、外周側壁２３の平坦部２３１Ａの上下方向の寸法（厚さ）が大きく、平坦部２３１Ａでカウンター２Ａが床面Ｆに支持される例である。平坦部２３１は、微細な凹凸が形成されるシボ加工が施されており、シボ加工面が当接部５０Ａを構成する。シボ加工が施されることにより、平坦部２３１Ａの床面Ｆとの接触面積が低減される。本変形例のカウンター２Ａのように、平坦部２３１Ａの面積を広く確保し、平坦部２３１Ａでカウンター２Ａが床面Ｆに支持される場合、平坦部２３１Ａにシボ加工を施した当接部５０Ａを備えることにより、上記実施形態と同様に、カウンター２を自立状態で保持する際、支持部２６や浴室の床面Ｆへの接触に伴う傷の発生を抑制できる。
【００５９】
図１０に第二変形例のカウンター２Ｂの自立状態の側面図を示す。本変形例のカウンター２Ｂは、第一変形例のカウンター２Ａと同様に外周側壁２３の平坦部２３１Ｂの上下方向の寸法（厚さ）が大きく、平坦部２３１Ｂでカウンター２Ｂが床面Ｆに支持される例である。本変形例では、平坦部２３１Ｂに２本の線接触面５０Ｂ，５０Ｂが形成されている。線接触面５０Ｂ，５０Ｂは、カウンター２Ｂの幅方向に平行に線状に延びて形成されている。線接触面５０Ｂ，５０Ｂは、平坦部２３１Ｂよりも外方に突出している。すなわち、カウンター２Ｂの自立状態では、線接触面５０Ｂ，５０Ｂ間の平坦部２３１Ｂは、床面Ｆから僅かに離間した状態で床面Ｆに対向する。
【００６０】
本変形例のカウンター２Ｂのように、外周側壁２３の平坦部２３１Ｂに当接部として２本の線接触面５０Ｂ，５０Ｂを形成することにより、カウンター２Ｂの支持部２６と浴室の床面Ｆとが線接触可能であり、支持部２６の接触面積を低減できる。この結果、カウンター２Ｂを自立状態で保持する際、支持部２６や浴室の床面Ｆへの接触に伴う傷の発生を抑制できる。
【００６１】
上述の各種当接部の構成は組み合わせて適用可能である。図１１に示す第三変形例のカウンター２Ｃの自立状態の側面図を示す。例えば、図１１に示すカウンター２Ｃのように、外周側壁２３に線接触面５０Ｂ，５０Ｂを形成し、かつ、第二側壁５８に突起５０，５０を形成し、当接部が線接触面５０Ｂ，５０Ｂ及び突起５０，５０を備える構成であってもよい。
【００６２】
本発明に係るカウンターが浴室の壁部に着脱可能に取り付けられる態様は、上述の実施形態及び変形例で示したブラケット３及び被係合部５２による係合構造に限定されない。浴室カウンターがブラケットに着脱可能に係合される公知の係合構造を備えてもよく、カウンターの支持部及び当接部を備え、載置面が水平方向に向いた状態で支持部を浴室の床上に支持することで自立可能に構成を備えていればよい。
【００６３】
以上、本発明の実施形態について図面を参照して詳述したが、具体的な構成はこの実施形態に限られるものではなく、本発明の要旨を逸脱しない範囲の設計変更等も含まれる。
また、上述の実施形態及び各変形例において示した構成要素は適宜に組み合わせて構成することが可能である。
【符号の説明】
【００６４】
２，２Ａ，２Ｂ，２Ｃ  浴室カウンター
４１  天板（載置面）
２３  外周側壁（外周縁部、支持部）
２３１，２３１Ａ，２３１Ｂ  平坦部（支持部）
２６  支持部
５０  当接部
５２  被係合部
５０Ａ  シボ加工面（当接部）
５０Ｂ  線接触面（当接部）
【図１】
2020032109.tif 000003
【図２】
2020032109.tif 000004
【図３】
2020032109.tif 000005
【図４】
2020032109.tif 000006
【図５】
2020032109.tif 000007
【図６】
2020032109.tif 000008
【図７】
2020032109.tif 000009
【図８】
2020032109.tif 000010
【図９】
2020032109.tif 000011
【図１０】
2020032109.tif 000012
【図１１】
2020032109.tif 000013